(57)【要約】【課題】【解決手段】音響的に同調したポートを有するノイズ消去マイクロフォンの特定の実施の形態が本出願にて開示される。本発明の１つの形態において、ノイズ消去マイクロフォンは、ハウジングと、受け取ったエネルギを電気信号に変換する変換器であって、ハウジング内に配置された上記変換器と、変換器の前側及び後側音開口部への前側及び後側音経路とを備え、前側及び後側音経路はハウジングの両側部に配置し且つ垂直軸線から１８０゜変位させることができる。ノイズ消去マイクロフォンは、ノイズ消去マイクロフォンを支持するブームを更に備えることができ、該ブームはノイズ消去マイクロフォンをユーザの口付近に配置し得るよう変形可能である。例えば、ブームは、ノイズ消去マイクロフォンをユーザの口の縁から少なくとも１０ｍｍ離れた位置に配置し得るよう変形可能である。
2007516658.tif 000002
【特許請求の範囲】
【請求項１】
ノイズ消去マイクロフォンにおいて、
ハウジングと、
該ハウジング内に配置されて、受け取った音エネルギを電気信号に変換する少なくとも１つの変換器と、
該少なくとも１つの変換器の前側音開口部への前側音経路と、
少なくとも１つの変換器の後側音開口部への後側音経路とを備え、
前側及び後側音経路がハウジングの両側部に配置され且つ、垂直軸線から１８０゜変位される、ノイズ消去マイクロフォン。
【請求項２】
請求項１に記載のノイズ消去マイクロフォンにおいて、ノイズ消去マイクロフォンを支持するブームを更に備える、ノイズ消去マイクロフォン。
【請求項３】
請求項２に記載のノイズ消去マイクロフォンにおいて、ブームは、ノイズ消去マイクロフォンをユーザの口付近に配置し得るよう変形可能である、ノイズ消去マイクロフォン。
【請求項４】
請求項３に記載のノイズ消去マイクロフォンにおいて、ブームは、ノイズ消去マイクロフォンをユーザの口の縁から少なくとも１０ｍｍ離れた位置に配置し得るよう変形可能である、ノイズ消去マイクロフォン。
【請求項５】
請求項１に記載のノイズ消去マイクロフォンにおいて、電気信号をハウジングの外部に連絡する複数の電線リードを更に備える、ノイズ消去マイクロフォン。
【請求項６】
請求項１に記載のノイズ消去マイクロフォンにおいて、前側及び後側音経路は、電気的同調が不要であるように機械的に同調される、ノイズ消去マイクロフォン。
【請求項７】
請求項６に記載のノイズ消去マイクロフォンにおいて、前側及び後側音経路は、前側及び後側音経路の音響質量を変化させることにより機械的に同調される、ノイズ消去マイクロフォン。
【請求項８】
請求項７に記載のノイズ消去マイクロフォンにおいて、音響質量は、前側及び後側音経路の長さ及び面積の少なくとも一方を変化させることにより変更させる、ノイズ消去マイクロフォン。
【請求項９】
請求項６に記載のノイズ消去マイクロフォンにおいて、前側及び後側音経路は、前側及び後側音経路の音響音量を変化させることにより機械的に同調される、ノイズ消去マイクロフォン。
【請求項１０】
請求項９に記載のノイズ消去マイクロフォンにおいて、音響音量は、前側及び後側音経路の長さ及び面積の少なくとも一方を変化させることにより変更させる、ノイズ消去マイクロフォン。
【請求項１１】
請求項１に記載のノイズ消去マイクロフォンにおいて、ハウジング内にあって、受け取った音エネルギを電気信号に変換する単一指向性マイクロフォンを更に備える、ノイズ消去マイクロフォン。
【請求項１２】
請求項２に記載のノイズ消去マイクロフォンにおいて、ブームに連結されたヘッドセットを更に備える、ノイズ消去マイクロフォン。
【請求項１３】
ノイズ消去マイクロフォンにおいて、
ハウジングと、
該ハウジング内に配置されて、受け取った音エネルギを電気信号に変換する少なくとも１つの変換器と、
該少なくとも１つの変換器の前側音開口部への前側音経路と、
少なくとも１つの変換器の後側音開口部への後側音経路とを備え、
前側及び後側経路は、ノイズ消去マイクロフォンが外部音響的ノイズを１５ｄＢ以上減少させるように配置され且つ、機械的に同調される、ノイズ消去マイクロフォン。
【請求項１４】
請求項１３に記載のノイズ消去マイクロフォンにおいて、ノイズ減少効果は３００Ｈｚにて少なくとも１８ｄＢである、ノイズ消去マイクロフォン。
【請求項１５】
請求項１３に記載のノイズ消去マイクロフォンにおいて、前側及び後側音経路は、ユーザが感得可能な高周波数ノイズを導入することなく、少なくとも１５ｄＢのノイズ減少効果が実現されるよう配置され且つ、機械的に同調される、ノイズ消去マイクロフォン。
【請求項１６】
請求項１３に記載のノイズ消去マイクロフォンにおいて、ノイズ消去マイクロフォンを支持するブームを更に備える、ノイズ消去マイクロフォン。
【請求項１７】
請求項１６に記載のノイズ消去マイクロフォンにおいて、ブームは、ノイズ消去マイクロフォンをユーザの口付近に配置し得るよう変形可能である、ノイズ消去マイクロフォン。
【請求項１８】
請求項１７に記載のノイズ消去マイクロフォンにおいて、ブームは、ノイズ消去マイクロフォンをユーザの口の縁から少なくとも１０ｍｍ離れた位置に配置し得るよう変形する、ノイズ消去マイクロフォン。
【請求項１９】
請求項１３に記載のノイズ消去マイクロフォンにおいて、電気信号をハウジングの外部に連絡する複数の電線リードを更に備える、ノイズ消去マイクロフォン。
【請求項２０】
請求項１３に記載のノイズ消去マイクロフォンにおいて、前側及び後側音経路は、前側及び後側音経路の音響質量を変化させることにより、機械的に同調される、ノイズ消去マイクロフォン。
【請求項２１】
請求項２０に記載のノイズ消去マイクロフォンにおいて、音響質量は、前側及び後側音経路の長さ及び面積の少なくとも一方を変化させることにより変更される、ノイズ消去マイクロフォン。
【請求項２２】
請求項１３に記載のノイズ消去マイクロフォンにおいて、前側及び後側音経路は、前側及び後側音経路の音響音量を変化させることにより、機械的に同調される、ノイズ消去マイクロフォン。
【請求項２３】
請求項２２に記載のノイズ消去マイクロフォンにおいて、音響音量は、前側及び後側音経路の長さ及び面積の少なくとも一方を変化させることにより、変更される、ノイズ消去マイクロフォン。
【請求項２４】
請求項１３に記載のノイズ消去マイクロフォンにおいて、ハウジング内に設けられ、受け取った音エネルギを電気信号に変換する単一指向性マイクロフォンを更に備える、ノイズ消去マイクロフォン。
【発明の詳細な説明】
【関連出願の相互参照／参照することによる包含】
【０００１】
本出願は、その主題事項の全体を参考として引用し本明細書に含めたい、「音響的に同調したポートを有するノイズ消去マイクロフォン（Ｎｏｉｓｅ  Ｃａｎｃｅｌｉｎｇ  Ｍｉｃｒｏｐｈｏｎｅ  Ｗｉｔｈ  Ａｃｏｕｓｔｉｃａｌｌｙ  Ｔｕｎｅｄ  Ｐｏｒｔｓ）」という名称にて２００３年９月３０日付けで出願された米国仮特許出願明細書６０／５０７，６２９号（代理人事件番号１５２２６ＵＳ０１）の優先権及び利益を主張するものである。
【背景技術】
【０００２】
従来の無指向性マイクロフォンは、音響波の音圧の変化をマイクロフォン振動板の機械的振動に変換する形態とされている。マイクロフォンは、典型的には、ブーム上に配置され且つ、ユーザの口の前側から耳の近くまでブームに沿った任意の箇所に配置することができる。ユーザの音声を拾い上げるとき、従来の無指向性マイクロフォンは、装置の作動音、振動ノイズ、風切りノイズ、呼吸ノイズ及び（又は）その他の会話の音声ノイズのような色々なノイズ（雑音）も拾い上げる。かかるノイズは、特に、マイクロフォンがユーザの口の後方に離れて配置されるとき、ユーザの音声を完全にかき消すことになる。
【０００３】
マイクロフォンにおけるノイズの消去は、接話マイクロフォンの設計を使用することで提供することができ、この場合、ユーザが発声するときの前側及び後側ポート又はマイクロフォンの入口における音の音圧は、より遠方の音に対するマイクロフォンの出力よりもしばしば大きいマイクロフォンの出力を提供する。従来の接話マイクロフォンの設計は、外部ノイズの拾い上げを減少させることができるが、それらの全体的なノイズ減少の特徴は、最適ではない。
【発明の開示】
【発明が解決しようとする課題】
【０００４】
従来の無指向性マイクロフォンは、ノイズの減少能力が劣り、また、実現される音の減衰レベルは、通常、極めて低い。許容可能な音の減衰レベルを実現するためには、従来のマイクロフォンは、例えば、ユーザの口のような音源に極く近接して配置する必要がある。しかし、マイクロフォンがユーザの口の前に配置されるとき、会話の破裂音にはじける（ｐｏｐｐｉｎｇ）音が伴い、増大したノイズの特徴を生じさせる。
【０００５】
従来の方策の限界及び不利益な点は、図面を参照してかかるシステムを本出願の以下の部分に記載した本発明のシステムと比較することにより、当該技術分野の当業者に明らかになるであろう。
【課題を解決するための手段】
【０００６】
本発明の特定の実施の形態は、音響的に同調したポートを有する音消去マイクロフォンにて見ることができる。本発明の１つの形態において、音消去マイクロフォンは、ハウジングと、受け取ったエネルギを電気信号に変換する変換器であって、ハウジング内に配置された上記変換器と、変換器内の前側及び後側音開口部への前側及び後側音経路であって、ハウジングの両側部に配置することができ且つ、垂直軸線から１８０゜変位して配置することのできる上記前側及び後側音経路とを備えることができる。ノイズ消去マイクロフォンは、ノイズ消去マイクロフォンを支持するブームを備え、該ブームは、音消去マイクロフォンをユーザの口近くに配置し得るよう変形可能である。
【０００７】
例えば、ブームは、ノイズ消去マイクロフォンをユーザの口の縁から少なくとも１０ｍｍ離れた位置に配置し得るよう変形可能である。ノイズ消去マイクロフォンは、ハウジングの外部の電気信号と連絡するため１つ又はより多くの電線リードを備えることもできる。前側及び後側音経路は、例えば、前側及び後側音経路の音響質量及び（又は）音響音量を変化させることにより機械的に同調し、電気的同調が全く不要であるようにすることができる。音響質量及び（又は）音響音量は、前側及び後側音経路の長さ及び面積の少なくとも一方を変化させることにより変更することができる。ノイズ消去マイクロフォンは、ハウジング内に、受け取った音エネルギを電気信号に変換することができる単一指向性マイクロフォンを更に備えることができる。ノイズ消去マイクロフォンは、ブームに連結されたヘッドセットを備えることもできる。
【０００８】
本発明の別の形態において、ノイズ消去マイクロフォンは、ハウジングと、受け取ったエネルギを電気信号に変換する変換器であって、ハウジング内に配置された上記変換器と、変換器の前側及び後側開口部への前側及び後側音経路であって、ノイズ消去マイクロフォンが外部の音響ノイズを１５ｄＢ以上減少させることができるように配置し且つ、機械的に同調することができる上記側及び後側音経路とを備えることができる。ノイズの減少効果は、３００Ｈｚにて少なくとも１８ｄＢとなるようにすることができる。
【０００９】
前側及び後側音経路は、ユーザが感得可能な高周波数ノイズを導入することなく、少なくとも１５ｄＢのノイズ減少効果を実現することができるように配置し且つ、機械的に同調することができる。ノイズ消去マイクロフォンは、ノイズ消去マイクロフォンを支持するブームを更に備えることができ、該ブームは、ノイズ消去マイクロフォンをユーザの口近くに配置し得るよう変形可能である。例えば、ブームは、ノイズ消去マイクロフォンをユーザの口の縁から少なくとも１０ｍｍ離れた位置に配置し得るよう変形可能である。ノイズ消去マイクロフォンは、ハウジングの外部の電気信号と連絡するため１つ又はより多くの電線リードを備えることもできる。
【００１０】
前側及び後側音経路は、例えば、前側及び後側音経路の音響質量（acoustic  mass）及び（又は）音響音量（acoustic  volume）を変化させることにより機械的に同調し、電気的同調が全く不要であるようにすることができる。音響質量及び（又は）音響音量は、前側及び後側音経路の長さ及び面積の少なくとも一方を変化させることにより変更することができる。ノイズ消去マイクロフォンは、ハウジング内に、受け取った音エネルギを電気信号に変換することができる単一指向性マイクロフォンを更に備えることができる。
【発明を実施するための最良の形態】
【００１１】
本発明の上記及びその他の有利な点、形態及び新規な特徴並びにその図示した実施の形態の詳細は、以下の説明及び図面からより完全に理解されよう。
【００１２】
本発明の特徴は、音響的に同調したポートを有するノイズ消去マイクロフォンにて見ることができる。ノイズ消去マイクロフォンの前側及び後側音経路内の音響音量及び（又は）音響質量を変化させることにより、従来のノイズ消去マイクロフォンよりも高いノイズ減少効果を実現することができる。
【００１３】
図１Ａは、本発明の１つの実施の形態に従って、音響的に同調したポートを有するノイズ消去マイクロフォンの周波数応答性を示す線図である。本発明の一例としての形態において、ノイズ減衰レベルは、顔の片側に取り付けられた音響的に同調したポートを有するノイズ消去マイクロフォンにて測定することができ、また、顔の反対側に取り付けた対照マイクロフォンのものと比較することができる。図１Ａを参照すると、対照マイクロフォンの周波数応答性は、グラフの線１００にて示すように、零の値として与えることができる。
【００１４】
グラフの線１０１は、一例としてのノイズ消去マイクロフォンがユーザの口の縁のような音源から１０ｍｍ後方にあるとき、音響的に同調したポートを有する一例としてのノイズ消去マイクロフォンの周波数応答性を対照マイクロフォンのものと比較して、表わすことができる。グラフの線１０２は、一例としてのノイズ消去マイクロフォンが上述したように配置され、音源が拡散又は反響場のものであるとき、一例としてのノイズ消去マイクロフォンの応答性を対照マイクロフォンのものと比較して表わすことができる。応答曲線１０１、１０２間の差は、図１Ａの音響的に同調したポートを有する一例としてのノイズ消去マイクロフォンのノイズ消去特性を示す。
【００１５】
図１Ｂは、本発明の１つの実施の形態に従い、図１Ａのノイズ消去マイクロフォンのものと比較可能なノイズの減少特徴を有する従来のノイズ消去マイクロフォンの周波数応答性を示す線図である。図１Ｂを参照すると、対照マイクロフォンの周波数応答性は、グラフの線１０３にて示すように、零の値として与えることができる。グラフの線１０４は、図１Ｂの従来のマイクロフォンが図１Ａの音響的に同調したポートを有するノイズ消去マイクロフォンと同一の位置にあり又はユーザの口の縁から１０ｍｍの位置にあるとき、従来のノイズ消去マイクロフォンの周波数応答性を対照マイクロフォンのものと比較して表わすことができる。グラフの線１０５は、従来のマイクロフォンがユーザの口の縁から１０ｍｍの位置に配置され、音源が拡散又は反響場のものであるとき、従来のノイズ消去マイクロフォンの周波数応答性を対照マイクロフォンのものと比較して、表わすことができる。
【００１６】
図１Ａ及び図１Ｂにおいて、従来のノイズ消去マイクロフォン及び音響的に同調したポートを有するノイズ消去マイクロフォンの周波数応答性の特徴は、グラフの線１０４、１０１によりそれぞれ表わすことができる。更に、拡散ノイズ場に対する従来のノイズ消去マイクロフォン及び音響的に同調したポートを有するノイズ消去マイクロフォンの応答性は、グラフの線１０５、１０２により表わすことができる。この要領にて、従来のノイズ消去マイクロフォン及び音響的に同調したポートを有するノイズ消去マイクロフォンの周波数応答性特徴を拡散ノイズ場に対するそれらのそれぞれの応答性と比較することにより、ノイズ拒絶の点にて平均約５ｄＢだけ優れることを明らかにすることができる。更に、音響的に同調したポートを有するノイズ消去マイクロフォンは、グラフの線１０１に反映するように、帯域幅の全体に亙ってほぼ平坦な音響的接話（現所の）応答性を生じることができる。
【００１７】
本発明の１つの形態において、音響的に同調したポートを有するノイズ消去マイクロフォンは、例えば、マイクロフォンヘッドセットの用途にて及び音声認識技術を利用する用途にて利用することが可能である。更に、音響的に同調したポートを有するノイズ消去マイクロフォンは、例えば、１００ｄＢ  ＳＰＬの車両ノイズを有する車両内にて双方向会話する間に利用することもできる。
【００１８】
本発明の別の形態において、グラフの線１０１で表わすように、音響的に同調したポートを有する一例としてのノイズ消去マイクロフォンの周波数応答性の特徴をグラフの線１０２で表わした対照マイクロフォンのノイズ応答性と比較することから明らかとなるように、１０００Ｈｚにて約１２ｄＢ、３００Ｈｚにて約２０ｄＢ、及び３０００Ｈｚにて８ｄＢのノイズ減少効果を実現することができる。他方、従来のノイズ消去マイクロフォンは、グラフの線１０４、１０５で表わすように、１０００Ｈｚにて僅か８ｄＢのノイズの拒絶、３００Ｈｚにて約１０ｄＢのノイズの減少及び３０００Ｈｚにて僅か２ｄＢのノイズの拒絶を実現する。
【００１９】
本発明の別の形態において、音響的に同調したポートを有する一例としてのノイズ消去マイクロフォンは、同様の環境下にて試験した従来の無指向性マイクロフォンよりも少なくとも２０ｄＢ以上のノイズ減少効果を実現し得るようにすることができる。例えば、ジャブラ（Ｊａｂｒａ）が製造し且つ、音響的に同調したポートを有する一例としてのノイズ消去マイクロフォンと同様の環境下にて試験した従来のマイクロフォンは、１ｋＨｚにて−９ｄＢのノイズ減少効果又は音響的に同調したポートを有する一例としてのノイズ消去マイクロフォンよりも２１ｄＢだけ少ないノイズ減少効果の特徴が得られた。
【００２０】
図２は、本発明の１つの実施の形態に従って、音響的に同調したポートを有するノイズ消去マイクロフォンの図である。図２を参照すると、音響的に同調したポート２００を有するノイズ消去マイクロフォンは、マイクロフォンハウジング２０８と、前側ポート２０１と、後側ポート２０２と、前側２０９及び後側部２１０を有する内部マイクロフォン２０３と、前側入口通路２０４と、後側入口通路２０５と、マイクロフォンの電線リード２０６、２０７とを備えることができる。内部マイクロフォン２０３の前側部２０９及び後側部２１０は、前側入口２１４及び後側入口２１５をそれぞれ備えることができる。
【００２１】
前側ポート２０１は、ユーザの口のような音源により近いポートである。本発明の一例としての形態において、マイクロフォンの高感度を実現するため、前側ポート２０１は、音源と同一の水平面に配置することができる。後側ポート２０２は、前側ポート２０１及び音源と同一の水平面に配置することができる。しかし、後側ポート２０２は、前側ポート２０１から水平軸線に対し１８０゜変位させ、後側ポートがマイクロフォンハウジング２０８の反対側部に配置されるようにする。
【００２２】
前側入口通路２０４は、前側ポート２０１を内部マイクロフォンの前側部２０９の前側入口２１４と接続することができる。後側入口通路２０５は、後側ポート２０２を内部マイクロフォンの後側部２１０の後側入口２１５と接続することができる。本発明の別の形態において、音響的に同調したポートを有するノイズ消去マイクロフォンと共に利用される能動的な電気同調状態は存在しない。この点に関して、ポート２０１、２０２は、前側入口通路２０４及び後側入口通路２０５により形成されたキャビティの音響音量及び（又は）音響質量を変化させることにより、音響的に同調することができる。
【００２３】
音響質量Ｍは、等式Ｍ＝．００１６×（Ｌ／Ａ）により決定することができ、ここで、Ｌは前側入口通路２０４又は後側入口通路２０５の長さであり、Ａはその面積である。音響音量Ｖは、等式Ｖ＝Ｌ×Ａにより決定することができる。音量及び音響質量対音量の比は、独立的に選び、全体の性能を最適にすることができる。前側入口通路２０４及び後側入口通路２０５により形成された通路キャビティの音響音量は、高ノイズ減少レベル及び接話感度が得られるよう最適化することができる。単一指向性マイクロフォンカートリッジを内部マイクロフォン２０３として利用することができるが、本発明は、この仕方に限定されず、音響的に同調したポート２００を有するノイズ消去マイクロフォン内にてその他の型式のマイクロフォンカートリッジを利用してもよい。
【００２４】
図３は、本発明の１つの実施の形態に従って、ブームに取り付けられた音響的に同調したポートを有するノイズ消去マイクロフォンの一例としての図である。図３を参照すると、音響的に同調したポート３０１を有するノイズ消去マイクロフォンは、音響的に同調した前側ポート３０２と、後側ポート３０３とを備えることができる。マイクロフォン３０１は、ヘッドセットの一部とすることのできるブーム３０５に取り付けることができる。該ブーム３０５は、変形させ、ユーザの口の縁と音響的に同調したポート３０１を有するノイズ消去マイクロフォンとの間の距離３０６を変化させlうにすることが可能である。本発明の一例としての形態において、ブーム３０５は、距離３０６が少なくとも１０ｍｍであり、音響的に同調したポート３０１を有するノイズ消去マイクロフォンが優れたノイズ拒絶と組み合わさったはじけ音無しの性能を提供するように同調することができる。
【００２５】
本発明の別の形態において、音響的に同調したポート３０１を有するマイクロフォンの位置は、ユーザの口の端部のような音源に対して変化させることができる。この要領にて、マイクロフォン３０１の位置、マイクロフォンポートの位置、前側入口及び後側入口の通路キャビティの体積は、従来のマイクロフォンと比較して最高のノイズ減少効果及び接話感度が実現されるよう最適化することができる。
【００２６】
図４Ａは、本発明の１つの実施の形態に従い、音響的に同調したポートを有するノイズ消去マイクロフォンの軸線上周波数応答性を示す線図である。本発明の一例としての形態において、ノイズ減衰レベル及び軸線上周波数応答性は、顔の片側に取り付けられた音響的に同調したポート４１０を有するノイズ消去マイクロフォンにて測定し且つ、顔の反対側に取り付けられた対照マイクロフォンのものと比較できる。
【００２７】
図４Ａを参照すると、対照マイクロフォンの周波数応答性は、グラフの線４００で示すように零の値として与えることができる。グラフの線４０１は、対照マイクロフォンのものと比較して、音響的に同調したポートを有する一例としてのノイズ消去マイクロフォン４１０の軸線上周波数応答性を表わすことができる。グラフの線４０２は、ノイズ消去マイクロフォン４１０を使用する結果として暗雑音の試験レベルに対する周波数応答性を表わすことができる。この場合、第一のマイクロフォン入口４１２は、口に近く、第二のマイクロフォン入口４１４はマイクロフォンポッドの外側にて口から離れており、その結果、最適なノイズ減少レベルを実現することができる。例えば、１０００Ｈｚにて約１０ｄＢのノイズ減少効果、また３００Ｈｚにて約２０ｄＢのノイズ減少効果を実現することができる。
【００２８】
図４Ｂは、本発明の１つの実施の形態に従い、音響的に同調したポートを有するノイズ消去マイクロフォンの９０゜回転の周波数応答性を示すグラフである。本発明の一例としての形態において、顔の片側に取り付けられた音響的に同調したポート４１６を有するノイズ消去マイクロフォンにてノイズ減衰レベル及び９０゜の回転周波数応答性を測定し且つ、顔の反対側に取り付けられた参照マイクロフォンのものと比較することができる。
【００２９】
図４Ｂを参照すると、参照マイクロフォンの周波数応答性は、グラフの線４０３で示すように零の値として与えることができる。グラフの線４０４は、音響的に同調したポート４１６を有する一例としてのノイズ消去マイクロフォンの９０゜回転周波数応答性を参照マイクロフォンのものと比較して表わすことができる。グラフの線４０５は、ノイズ消去マイクロフォン４１６の使用の結果として暗雑音の試験レベルに対する周波数応答性を表わすことができる。この場合、ノイズ消去マイクロフォン４１６のマイクロフォンポッドは、９０゜回転させ、後側入口ポート４２０が下向きとなり、前側入口ポート４１８が上向きとなるようにする。その結果、ノイズ減少レベルは、図４Ａに示したノイズ減少レベルと比較して低下する。例えば、１０００Ｈｚにて約５ｄＢのノイズ減少効果及び３００Ｈｚにて約１０ｄＢのノイズ減少効果を実現できる。
【００３０】
図４Ｃは、本発明の１つの実施の形態に従い、音響的に同調したポートを有するノイズ消去マイクロフォンの１８０゜の回転周波数応答性を示すグラフである。本発明の一例としての形態において、顔の片側に取り付けられた音響的に同調したポート４２２を有するノイズ消去マイクロフォンにてノイズ減衰レベルを１８０゜の回転周波数応答性を測定し且つ、顔の反対側に取り付けられた対照マイクロフォンのものと比較することができる。
【００３１】
図４Ｃを参照すると、対照マイクロフォンの周波数応答性は、グラフの線４０６で示すように零の値を与えることができる。グラフの線４０７は、音響的に同調したポート４２２を有する一例としてのノイズ消去マイクロフォンの１８０゜回転周波数応答性を対照マイクロフォンのものと比較して表わすことができる。グラフの線４０８は、ノイズ消去マイクロフォン４２２の使用の結果として暗雑音の試験レベルに対する周波数応答性を表わすことができる。この場合、ノイズ消去マイクロフォン４２２のマイクロフォンポッドは、１８０゜回転させ、後側入口ポート４２２が顔に最も近く、前側入口ポート４２４が顔から離れるようにする。その結果、ノイズ減少レベルは、図４Ａ、図４Ｂに示したノイズ減少レベルと比較して更に低下する。例えば、１０００Ｈｚにて約−２ｄＢのノイズ減少効果及び３００Ｈｚにて約３ｄＢのノイズ減少効果を実現できる。
【００３２】
本発明は、特定の実施の形態に関して説明したが、当該技術分野の当業者には、本発明の範囲から逸脱せずに各種の変更を為し且つ、等価物にて置換することが可能であることが理解されよう。更に、本発明の範囲から逸脱せずに、特定の状況又は材料を本発明の教示に順応させ得るように多数の形態変更を為すことが可能である。このため、本発明は、開示された特定の実施の形態にのみ限定することを意図するものではなく、本発明は、特許請求の範囲に属する全ての形態変更例を包含するものである。
【図面の簡単な説明】
【００３３】
【図１】１Ａは、本発明の１つの実施の形態に従い、音響的に同調したポートを有するノイズ消去マイクロフォンの周波数応答性を示す線図である。
【００３４】
１Ｂは、本発明の１つの実施の形態に従い、図１Ａのノイズ消去マイクロフォンのものと比較可能なノイズ減少の特徴を備える従来のノイズ消去マイクロフォンの周波数応答性を示す線図である。
【図２】本発明の１つの実施の形態に従い、音響的に同調したポートを有するノイズ消去マイクロフォンの図である。
【図３】本発明の１つの実施の形態に従い、ブームに取り付けられた音響的に同調したポートを有するノイズ消去マイクロフォンの一例としての図である。
【図４】４Ａは、本発明の１つの実施の形態に従い、音響的に同調したポートを有するノイズ消去マイクロフォンの軸線上周波数応答性を示すグラフである。
【００３５】
４Ｂは、本発明の１つの実施の形態に従い、音響的に同調したポートを有するノイズ消去マイクロフォンの９０゜回転周波数応答性を示すグラフである。
【００３６】
４Ｃは、本発明の１つの実施の形態に従い、音響的に同調したポートを有するノイズ消去マイクロフォンの１８０゜回転周波数応答性を示すグラフである。
【図１】
2007516658.tif 000003
【図２】
2007516658.tif 000004
【図３】
2007516658.tif 000005
【図４】
2007516658.tif 000006
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
ノイズ消去マイクロフォンにおいて、
ハウジングと、
該ハウジング内に配置されて、受け取った音エネルギを電気信号に変換する少なくとも１つの変換器と、
該少なくとも１つの変換器の前側音開口部への前側音経路であって、第一の直径及び第一の長さを有する前側ポート通路と、第二の直径及び第二の長さを有する前側入口路とを備える前記前側音経路と、
少なくとも１つの変換器の後側音開口部への後側音経路とを備え、
前側及び後側音経路がハウジングの両側部に配置され且つ、垂直軸線から１８０゜変位される、ノイズ消去マイクロフォン。
【請求項２】
請求項１に記載のノイズ消去マイクロフォンにおいて、ノイズ消去マイクロフォンを支持するブームを更に備える、ノイズ消去マイクロフォン。
【請求項３】
請求項２に記載のノイズ消去マイクロフォンにおいて、ブームは、ノイズ消去マイクロフォンをユーザの口付近に配置し得るよう変形可能である、ノイズ消去マイクロフォン。
【請求項４】
請求項３に記載のノイズ消去マイクロフォンにおいて、ブームは、ノイズ消去マイクロフォンをユーザの口の縁から少なくとも１０ｍｍ離れた位置に配置し得るよう変形可能である、ノイズ消去マイクロフォン。
【請求項５】
請求項１に記載のノイズ消去マイクロフォンにおいて、電気信号をハウジングの外部に連絡する複数の電線リードを更に備える、ノイズ消去マイクロフォン。
【請求項６】
請求項１に記載のノイズ消去マイクロフォンにおいて、前側及び後側音経路は、電気的同調が不要であるように機械的に同調される、ノイズ消去マイクロフォン。
【請求項７】
請求項６に記載のノイズ消去マイクロフォンにおいて、前側及び後側音経路は、前側及び後側音経路の音響容積を変化させることにより機械的に同調される、ノイズ消去マイクロフォン。
【請求項８】
請求項７に記載のノイズ消去マイクロフォンにおいて、音響容積は、前側及び後側音経路の長さ及び面積の少なくとも一方を変化させることにより変更させる、ノイズ消去マイクロフォン。
【請求項９】
請求項６に記載のノイズ消去マイクロフォンにおいて、前側及び後側音経路は、前側及び後側音経路の音響音量を変化させることにより機械的に同調される、ノイズ消去マイクロフォン。
【請求項１０】
請求項９に記載のノイズ消去マイクロフォンにおいて、音響音量は、前側及び後側音経路の長さ及び面積の少なくとも一方を変化させることにより変更させる、ノイズ消去マイクロフォン。
【請求項１１】
請求項１に記載のノイズ消去マイクロフォンにおいて、ハウジング内にあって、受け取った音エネルギを電気信号に変換する単一指向性マイクロフォンを更に備える、ノイズ消去マイクロフォン。
【請求項１２】
請求項２に記載のノイズ消去マイクロフォンにおいて、ブームに連結されたヘッドセットを更に備える、ノイズ消去マイクロフォン。
【請求項１３】
ノイズ消去マイクロフォンにおいて、
ハウジングと、
該ハウジング内に配置されて、受け取った音エネルギを電気信号に変換する少なくとも１つの変換器と、
該少なくとも１つの変換器の前側音開口部への前側音経路であって、第一の直径及び第一の長さを有する前側ポート通路と、第二の直径及び第二の長さを有する前側入口路とを備える前記前側音経路と、
少なくとも１つの変換器の後側音開口部への後側音経路とを備え、
前側及び後側経路は、ノイズ消去マイクロフォンが外部音響的ノイズを１５ｄＢ以上減少させるように配置され且つ、機械的に同調される、ノイズ消去マイクロフォン。
【請求項１４】
請求項１３に記載のノイズ消去マイクロフォンにおいて、ノイズ減少効果は３００Ｈｚにて少なくとも１８ｄＢである、ノイズ消去マイクロフォン。
【請求項１５】
請求項１３に記載のノイズ消去マイクロフォンにおいて、前側及び後側音経路は、ユーザが感得可能な高周波数ノイズを導入することなく、少なくとも１５ｄＢのノイズ減少効果が実現されるよう配置され且つ、機械的に同調される、ノイズ消去マイクロフォン。
【請求項１６】
請求項１３に記載のノイズ消去マイクロフォンにおいて、ノイズ消去マイクロフォンを支持するブームを更に備える、ノイズ消去マイクロフォン。
【請求項１７】
請求項１６に記載のノイズ消去マイクロフォンにおいて、ブームは、ノイズ消去マイクロフォンをユーザの口付近に配置し得るよう変形可能である、ノイズ消去マイクロフォン。
【請求項１８】
請求項１７に記載のノイズ消去マイクロフォンにおいて、ブームは、ノイズ消去マイクロフォンをユーザの口の縁から少なくとも１０ｍｍ離れた位置に配置し得るよう変形する、ノイズ消去マイクロフォン。
【請求項１９】
請求項１３に記載のノイズ消去マイクロフォンにおいて、電気信号をハウジングの外部に連絡する複数の電線リードを更に備える、ノイズ消去マイクロフォン。
【請求項２０】
請求項１３に記載のノイズ消去マイクロフォンにおいて、前側及び後側音経路は、前側及び後側音経路の音響容積を変化させることにより、機械的に同調される、ノイズ消去マイクロフォン。
【請求項２１】
請求項２０に記載のノイズ消去マイクロフォンにおいて、音響容積は、前側及び後側音経路の長さ及び面積の少なくとも一方を変化させることにより変更される、ノイズ消去マイクロフォン。
【請求項２２】
請求項１３に記載のノイズ消去マイクロフォンにおいて、前側及び後側音経路は、前側及び後側音経路の音響音量を変化させることにより、機械的に同調される、ノイズ消去マイクロフォン。
【請求項２３】
請求項２２に記載のノイズ消去マイクロフォンにおいて、音響音量は、前側及び後側音経路の長さ及び面積の少なくとも一方を変化させることにより、変更される、ノイズ消去マイクロフォン。
【請求項２４】
請求項１３に記載のノイズ消去マイクロフォンにおいて、ハウジング内に設けられ、受け取った音エネルギを電気信号に変換する単一指向性マイクロフォンを更に備える、ノイズ消去マイクロフォン。
【請求項２５】
請求項１に記載のノイズ消去マイクロフォンにおいて、第二の直径は第一の直径よりも大きい、ノイズ消去マイクロフォン。
【請求項２６】
請求項１に記載のノイズ消去マイクロフォンにおいて、前側音経路は、第一の直径、第一の長さ、第二の直径、及び第二の長さの少なくとも１つを変化させることにより、機械的に同調される、ノイズ消去マイクロフォン。
【請求項２７】
請求項１に記載のノイズ消去マイクロフォンにおいて、前側入口通路は、異なる直径を有する少なくとも２つの通路部分を備える、ノイズ消去マイクロフォン。
【請求項２８】
請求項１に記載のノイズ消去マイクロフォンにおいて、後側音経路は、第三の直径と、第三の長さとを有する後側ポート通路と、第四の直径と、第四の長さとを有する後側入口路とを備える、ノイズ消去マイクロフォン。
【請求項２９】
請求項２８に記載のノイズ消去マイクロフォンにおいて、第四の直径は第三の直径よりも大きい、ノイズ消去マイクロフォン。
【請求項３０】
請求項２８に記載のノイズ消去マイクロフォンにおいて、後側音経路は、第三の直径、第三の長さ、第四の直径及び第四の長さの少なくとも１つを変化させることにより、機械的に同調される、ノイズ消去マイクロフォン。
【請求項３１】
請求項１に記載のノイズ消去マイクロフォンにおいて、ハウジングは、細長い偏球面の形状である、ノイズ消去マイクロフォン。
【請求項３２】
請求項１に記載のノイズ消去マイクロフォンにおいて、前側音経路は、前側ハウジング開口部から少なくとも１つの変換器の前側音開口部まで伸び、後側音経路は、後側ハウジング開口部から少なくとも１つの変換器の後側音開口部まで伸びる、ノイズ消去マイクロフォン。
【請求項３３】
請求項３２に記載のノイズ消去マイクロフォンにおいて、前側ハウジング開口部及び後側ハウジング開口部は、ハウジングの両側部に配置される、ノイズ消去マイクロフォン。
【請求項３４】
請求項３２に記載のノイズ消去マイクロフォンにおいて、前側ハウジング開口部の第一の位置及び後側ハウジング開口部の第二の位置は、ユーザがノイズ消去マイクロフォンを着用したとき、音の流れの回折を最小にし得るよう選ばれる、ノイズ消去マイクロフォン。
【国際調査報告】
2007516658.tif 000007